(57)【要約】【課題】無線ＲＦ信号を同時に送信および受信するように構成されたネットワークノードにおける方法である。【解決手段】本方法は、ネットワークノードから、ダウンリンクメッセージを送信するステップであり、ダウンリンクメッセージは、自己干渉チャネルを推定するためのチャネル推定情報を含んでいる、ステップと、ネットワークノードにおいて、ダウンリンクメッセージを送信している間の初期デュレーションの最中に、チャネル推定情報をモニターし、かつ、受信したチャネル推定情報に基づいて、周波数チャネルにおける自己干渉チャネルを推定するステップと、アップリンクメッセージを受信している間に自己干渉をキャンセルするために、推定された自己干渉チャネルを使用し、かつ、ダウンリンクメッセージの残り部分を同時に送信するステップと、を含む。【選択図】  図３
2021505088.tif 000002
【特許請求の範囲】
【請求項１】
無線ＲＦ信号を同時に送信および受信するように構成されたネットワークノードにおける方法であって、前記方法は、
前記ネットワークノードから、チャネル推定情報を含むプリアンブルを有しているダウンリンクメッセージを送信するステップと、
前記ネットワークノードにおいて、前記チャネル推定情報のための周波数チャネルをモニターし、かつ、受信したチャネル推定情報に基づいて、前記周波数チャネルにおける自己干渉チャネルを推定して、キャンセルするステップと、
前記ネットワークノードにおいて、前記チャネル推定情報の後に生じている前記ダウンリンクメッセージの一部の送信とオーバーラップする時間期間の最中に、前記周波数チャネルにおいてアップリンクメッセージを受信するステップと、
を含む、方法。
【請求項２】
前記ネットワークノードは、前記周波数チャネルと同じ周波数チャネルにおいて前記ダウンリンクメッセージを送信する、
請求項１に記載の方法。
【請求項３】
前記ネットワークノードは、前記周波数チャネルに隣接する周波数チャネルを使用して前記ダウンリンクメッセージを送信する、
請求項１乃至２いずれか一項に記載の方法。
【請求項４】
前記ダウンリンクメッセージは、前記周波数チャネル内の第１空間ストリームにおいて第１無線局に対して送信され、かつ、
前記アップリンクメッセージは、前記周波数チャネル内の第２空間ストリームにおいて第２無線局から受信される、
請求項１乃至３いずれか一項に記載の方法。
【請求項５】
前記ダウンリンクメッセージは、前記プリアンブルと、それに続くデータ部分を含むフレーム構造を使用し、
前記チャネル推定情報は、前記ネットワークノードによる前記データ部分の送信の以前に、前記ネットワークノードが前記自己干渉チャネルを推定することができるように、前記プリアンブルにおいて十分初期に含まれている、
請求項１乃至４いずれか一項に記載の方法。
【請求項６】
前記プリアンブルには、自動検出情報が含まれており、
前記方法は、
前記チャネル推定情報の以前に前記自動検出情報のための前記周波数チャネルをモニターするステップ、を含む、
請求項５に記載の方法。
【請求項７】
前記プリアンブルには、自動検出情報が含まれており、
前記プリアンブル内の前記自動検出情報は、前記プリアンブルにおける他の情報とは異なる変調を使用して符号化された情報を含む、
請求項５に記載の方法。
【請求項８】
前記自動検出情報は、直交２位相偏移変調を使用して符号化され、かつ、
他の情報は、２位相偏移変調を使用して符号化されている、
請求項７に記載の方法。
【請求項９】
前記チャネル推定情報は、それぞれのチャネル推定シーケンスが入力される１つまたはそれ以上の長いトレーニングフィールドを含む、
請求項５に記載の方法。
【請求項１０】
それぞれのチャネル推定シーケンスは、ゴレイシーケンスを含む、
請求項９に記載の方法。
【請求項１１】
前記プリアンブルは、
前記チャネル推定情報に続く長いトレーニングフィールドではない中間フィールドのグループ、および、前記中間フィールドの後の少なくとも１つまたはそれ以上の追加的な長いトレーニングフィールドを含み、
前記１つまたはそれ以上の追加的な長いトレーニングフィールドは、チャネルを推定するためにリモート受信機によって使用されるチャネル推定シーケンスを含んでいる、
請求項５に記載の方法。
【請求項１２】
無線ＲＦ信号を同時に送信および受信するようにためのネットワークノードであって、前記ネットワークノードは、
チャネル推定情報を含むプリアンブルを有しているダウンリンクメッセージを送信し、
前記チャネル推定情報のための周波数チャネルをモニターし、
受信したチャネル推定情報に基づいて、前記周波数チャネルにおける自己干渉チャネルを推定して、キャンセルし、かつ、
前記チャネル推定情報の後に生じている前記ダウンリンクメッセージの一部の送信とオーバーラップする時間期間の最中に、前記周波数チャネルにおいてアップリンクメッセージを受信する、
ように構成されている、ネットワークノード。
【請求項１３】
前記ネットワークノードは、前記周波数チャネルと同じ周波数チャネルにおいて前記ダウンリンクメッセージを送信するように構成されている、
請求項１２に記載のネットワークノード。
【請求項１４】
前記ネットワークノードは、前記周波数チャネルに隣接する周波数チャネルを使用して前記ダウンリンクメッセージを送信するように構成されている、
請求項１２乃至１３いずれか一項に記載のネットワークノード。
【請求項１５】
前記ネットワークノードは、
前記ダウンリンクメッセージを、前記周波数チャネル内の第１空間ストリームにおいて第１無線局に対して送信し、かつ、
前記アップリンクメッセージを、前記周波数チャネル内の第２空間ストリームにおいて第２無線局から受信するように構成されている、
請求項１２乃至１４いずれか一項に記載のネットワークノード。
【請求項１６】
前記ネットワークノードは、前記ダウンリンクメッセージのためにフレーム構造を使用するように構成されており、
前記フレーム構造は、前記プリアンブルと、それに続くデータ部分を含み、
前記チャネル推定情報は、前記ネットワークノードによる前記データ部分の送信の以前に、前記ネットワークノードが前記自己干渉チャネルを推定することができるように、前記プリアンブルにおいて十分初期に含まれている、
請求項１２乃至１５いずれか一項に記載のネットワークノード。
【請求項１７】
前記ネットワークノードは、前記チャネル推定情報の以前に、前記プリアンブルに自動検出情報を含むように構成されており、かつ、
前記ネットワークノードは、前記自動検出情報のための前記周波数チャネルをモニターするように構成されている、
請求項１６に記載のネットワークノード。
【請求項１８】
前記ネットワークノードは、前記プリアンブル内に自動検出情報が含むように構成されており、
前記プリアンブル内の前記自動検出情報は、前記プリアンブルにおける他の情報とは異なる変調を使用して符号化された情報を含む、
請求項１６に記載のネットワークノード。
【請求項１９】
前記ネットワークノードは、ローカル無線エリアネットワークにおけるアクセスポイントである、
請求項１２乃至１８いずれか一項に記載のネットワークノード。
【請求項２０】
方法であって、
ステーションにおいて周波数チャネルで、ノードからのダウンリンクメッセージの少なくとも初期部分を受信するステップであり、前記ダウンリンクメッセージは、前記ノードが自己干渉チャネルを推定するためのチャネル推定情報を含んでいる、ステップと、
前記ステーションにおいて、前記初期部分の受信に応答して、前記周波数チャネルにおいて前記ノードについてアップリンクメッセージを送信するステップと、
を含む、方法。
【発明の詳細な説明】
【技術分野】
【０００１】
本発明開示は、一般的に、無線ネットワークに関する。そして、特定的な実施形態においては、全二重通信（full  duplex  communications）をサポートするための技術およびメカニズムに関する。
【０００２】
本出願は、タイトルが“Preamble  Structure  Supporting  Full  Duplex  Communications”である、2017年12月1日に出願された米国仮特許出願第62/593,539号、および、タイトルが”Preamble  Structure  Supporting  Full  Duplex  Communications“である、2018年11月27日に出願された米国特許出願第16/200,913号について、利益および優先権を主張する。これらの内容は、ここにおいて参照によりその全体が組み込まれている。
【背景技術】
【０００３】
いくつかの通信ネットワークにおいては、アクセスポイントといったネットワーク装置は、全二重通信をすることが可能であるが、一方で、ステーション（stations）といった他のネットワーク要素は全二重通信をできないことがある。従って、全二重可能（full  duplex  enabled）なデバイスが全二重不能（non-full  duplex  enabled）なデバイスと通信する場合に、全二重化機能を利用するのを可能にする方法およびシステムを提供することが望ましい。そうした方法は、通信規格のIEEE  802.11グループに規定されている１つまたはそれ以上の仕様に準拠する、無線通信ネットワークおよびシステムにおいて有益であり得る。
【発明の概要】
【０００４】
少なくともいくつかの例において、開示された方法およびシステムは、非同期全二重通信を可能にする。第１例の態様に従って、無線ＲＦ信号を同時に送信および受信するように構成されたネットワークノードにおいて方法が提供される。本方法は、ネットワークノードから、チャネル推定情報を含むプリアンブルを有しているダウンリンクメッセージを送信するステップと、ネットワークノードにおいて、チャネル推定情報のための周波数チャネルをモニターし、かつ、受信したチャネル推定情報に基づいて、周波数チャネルにおける自己干渉チャネルを推定して、キャンセルするステップと、ネットワークノードにおいて、チャネル推定情報の後に生じているダウンリンクメッセージの一部の送信とオーバーラップする時間期間の最中に、周波数チャネルにおいてアップリンクメッセージを受信するステップと、を含む。
【０００５】
第１例の態様に係るいくつかの例示的な実施形態において、ネットワークノードは、周波数チャネルと同じ周波数チャネルにおいてダウンリンクメッセージを送信する。他の例示的な実施形態において、ネットワークノードは、周波数チャネルに隣接する周波数チャネルを使用してダウンリンクメッセージを送信する。
【０００６】
第１例の態様に係る例示的な実施形態において、ダウンリンクメッセージは、周波数チャネル内の第１空間ストリームにおいて第１無線局に対して送信され、かつ、アップリンクメッセージは、周波数チャネル内の第２空間ストリームにおいて第２無線局から受信される。
【０００７】
第１例の態様に係る例示的な実施形態において、ダウンリンクメッセージは、プリアンブルと、それに続くデータ部分を含むフレーム構造を使用し、チャネル推定情報は、ネットワークノードによるデータ部分の送信の以前に、ネットワークノードが自己干渉チャネルを推定することができるように、プリアンブルにおいて十分初期に含まれている。
【０００８】
第１例の態様に係る例示的な実施形態において、プリアンブルには、自動検出情報が含まれており、方法は、チャネル推定情報の以前に自動検出情報のための周波数チャネルをモニターするステップ、を含む。
【０００９】
第１例の態様に係る例示的な実施形態において、プリアンブルには、自動検出情報が含まれており、そして、プリアンブル内の自動検出情報は、プリアンブルにおける他の情報とは異なる変調を使用して符号化された情報を含む。いくつかの実施形態において、自動検出情報は、直交２位相偏移変調を使用して符号化され、かつ、他の情報は、２位相偏移変調を使用して符号化されている。
【００１０】
第１例の態様に係る例示的な実施形態において、チャネル推定情報は、それぞれのチャネル推定シーケンスが入力される１つまたはそれ以上の長いトレーニングフィールドを含む。いくつかの実施形態において、それぞれのチャネル推定シーケンスは、ゴレイシーケンスを含む。
【００１１】
第１例の態様に係る例示的な実施形態において、プリアンブルは、チャネル推定情報に続く長いトレーニングフィールドではない中間フィールドのグループ、および、中間フィールドの後の少なくとも１つまたはそれ以上の追加的な長いトレーニングフィールドを含み、１つまたはそれ以上の追加的な長いトレーニングフィールドは、チャネルを推定するためにリモート受信機によって使用されるチャネル推定シーケンスを含んでいる。
【００１２】
第２例の態様に従って、無線ＲＦ信号を同時に送信および受信するようにためのネットワークノードが説明される。本ネットワークノードは、チャネル推定情報を含むプリアンブルを有しているダウンリンクメッセージを送信し、チャネル推定情報のための周波数チャネルをモニターし、受信したチャネル推定情報に基づいて、周波数チャネルにおける自己干渉チャネルを推定して、キャンセルし、かつ、チャネル推定情報の後に生じているダウンリンクメッセージの一部の送信とオーバーラップする時間期間の最中に、周波数チャネルにおいてアップリンクメッセージを受信する、ように構成されている。
【００１３】
第３例の態様に従って、方法が開示され、ステーションにおいて周波数チャネルで、ノードからのダウンリンクメッセージの少なくとも初期部分を受信するステップであり、ダウンリンクメッセージは、ノードが自己干渉チャネルを推定するためのチャネル推定情報を含んでいる、ステップと、ステーションにおいて、初期部分の受信に応答して、周波数チャネルにおいてノードについてアップリンクメッセージを送信するステップと、を含む。
【００１４】
第４例の態様に従って、無線ＲＦ信号を同時に送信および受信するように構成されたネットワークノードにおいて方法が提供される。本方法は、ネットワークノードから、ダウンリンクメッセージを送信するステップであり、ダウンリンクメッセージは、自己干渉チャネルを推定するためのチャネル推定情報を含んでいる、ステップと、ネットワークノードにおいて、ダウンリンクメッセージを送信している間の初期デュレーションの最中に、チャネル推定情報をモニターし、かつ、受信したチャネル推定情報に基づいて、周波数チャネルにおける自己干渉チャネルを推定するステップと、アップリンクメッセージを受信している間に自己干渉をキャンセルするために、推定された自己干渉チャネルを使用し、かつ、ダウンリンクメッセージの残り部分を同時に送信するステップと、を含む。
【図面の簡単な説明】
【００１５】
これから、例として、本出願に係る例示的な実施態様を示す添付の図面を参照する。
【図１】図1は、一つの実施形態に係る無線通信ネットワークのダイヤグラムである。
【図２】図2は、非対称全二重通信を説明するダイヤグラムである。
【図３】図3は、一つの実施例に従った、フレームのダイヤグラムである。
【図４】図4は、図3のフレームのRL-SIGフィールドのダイヤグラムである。
【図５】図5は、別の例示的な実施形態に従った、さらなるフレームのダイヤグラムである。
【図６】図6は、例示的な実施形態に従った、図1のネットワーク内のノードによって為されるアクションのフローダイヤグラムである。
【図７】図7は、処理システムのブロックダイヤグラムである。
【図８】図8は、トランシーバのブロックダイヤグラムである。
【００１６】
類似のコンポーネントを示すために、類似の参照番号が、異なる図において使用されてよい。
【発明を実施するための形態】
【００１７】
この開示の実施形態の作成および使用が、以下で詳細に説明される。しかしながら、ここにおいて開示される概念は、多種多様な特定のコンテクストにおいて具体化することができ、そして、ここにおいて説明される特定の実施形態は、単に例示的なものに過ぎないことが正しく理解されるべきである。
【００１８】
図1は、ここにおいて説明されるシステムおよび方法の例示的な実施形態が適用され得る通信ネットワーク100の実施例を示している。ネットワーク100は、複数の無線局STA-1  106(1)、STA-2  106(2)(一般的には、STA  106として参照されるもの)を受け持つ（serve）カバレッジエリアを有するアクセスポイントAP  104を含んでいる。ネットワーク100は、少なくともいくつかの例において、例えばWi-Fiネットワークを含む、無線ローカルエリアネットワーク（WLAN）であり得る。
【００１９】
ここにおいて使用されるように、用語「アクセスポイント（“access  point”）」（AP）は、例えば、エボルブドNodeB(evolved  NodeB、eNB)、マクロセル、フェムトセル、分散ノード（distribution  node）、Wi-Fi  AP、または、他の無線でイネーブルされたデバイス（wirelessly  enabled  devices）といった、ネットワーク内で無線アクセスを提供するように構成されている任意のコンポーネント(または、コンポーネントの集合)を参照する。APは、例えば、１つまたはそれ以上の無線通信プロトコルに従って無線アクセスを提供し得る。例えば、ロングタームエボリューション（LTE）、LTEアドバンスト（LTE-A）、高速フレームアクセス（HSPA）、Wi-Fi  802.11a/b/g/n/ac/ad、および他の802.11プロトコルである。ここにおいて使用されるように、用語「ステーション（“station”）」（STA）は、アクセスポイントと無線接続を確立することができる任意のコンポーネント(またはコンポーネントの集合)を参照する。クライアントノード（CN）、ユーザ装置（UE）、移動局、インターネット・オブ・シングス（IoT）、および他の無線でイネーブルされた装置、といったものである。
【００２０】
図1の例において、AP  104は、STA-1  106(1)とダウンリンク接続無線チャネル108を確立し、そして、ダウンリンク接続無線チャネル108を介してSTA-1  106(1)に対してRF信号ダウンリンクメッセージを送信することが可能である。AP  104は、また、STA-2  106(2)とアップリンク接続無線チャネル110を確立し、そして、アップリンク接続無線チャネル110を介してSTA-2  106(2)からRF信号アップリンクメッセージを受信することも可能である。図示された実施形態において、AP  104は全二重(full  duplex、FD)が可能であり（enabled）、AP  104が、同じ周波数チャネルを使用してRF信号を同時に送信および受信できることを意味している。図1の例において、STA-1  106(1)およびSTA-2  106(2)は、必ずしもFDが可能である必要はなく、STA-1  106(1)およびSTA-2  106(2)のいずれも、必ずしも同じ周波数チャネルを使用してRF信号を同時に送信および受信できる必要はない。いくつかの例においては、特定の周波数チャネルに対して任意の時間において、STA-1  106(1)は受信だけ可能（read-only  enabled）であり、そして、STA-2  106(2)は送信だけ可能（transmit-only  enabled）であってよい。いくつかの例において、STA-1  106(1)およびSTA-2  106(2)の一方または両方は、それぞれ半二重(half  duplex、HD)が可能であってよい。HDが可能なSTAは、特定の周波数チャネルを使用してRF信号を送信および受信の両方をできるが、同時ではない。
【００２１】
例示的な実施形態は、AP  104とステーションSTA-1  106(1)、STA-2  106(2)との間の非対称全二重（asymmetric  full  duplex）通信を可能にすることに向けられている。AFD通信の一つの例において、AP  104は、STA-1  106(1)とダウンリンク接続チャネル108、および、STA-2  106(2)とアップリンク接続チャネル110を同時に確立することが可能である。少なくともいくつかの例において、無線接続チャネル108および110は、オーバーラップしている時間期間において同一または隣接する周波数スペクトルを使用するそれぞれの空間ストリーム（spatial  stream）であってよく、AP  104のための可能性ある自己干渉（self-interference）チャネル112を結果として生じている。従って、例示的な実施形態において、無線接続チャネル108および110は、同じ周波数チャネルを使用し、周波数チャネルにおいて可能性ある自己干渉をもたらしている。この開示は、AFD通信の最中の自己干渉を軽減するための方法およびシステムを説明する。
【００２２】
図2は、例示的な実施形態に従った、ダウンリンク無線接続チャネル108およびアップリンク無線接続チャネル110を使用するAFD通信を示している。AFD通信の最中に、AP  104は、ダウンリンク無線接続チャネル108を介してSTA-1  106(1)に対してダウンリンクメッセージ200を送信し、そして、アップリンク無線接続チャネル110を介してSTA-2  106(2)からアップリンクメッセージ202を受信する。上述のように、例示的な実施例において、ダウンリンクメッセージ200およびアップリンクメッセージ202は、Toのオーバーラップ時間期間についてオーバーラップしている。自己干渉に対して軽減するために、AP  104は、メッセージ200のプリアンブルにおいてAFD情報204を含んでおり、それにより、AP  104は、自己干渉チャネル112を推定することができる。AFD情報204は、STA-2  106(2)によるアップリンク無線接続チャネル110を介したアップリンクメッセージ202の送信に先立つ、時間デュレーション（duration）Teにおいて送信される。デュレーションTeの最中に、AP  104は、AFD情報204内に含まれるチャネル推定情報についてアップリンク無線接続チャネル110をモニターし、そして、次いで、チャネル推定情報に基づいて自己干渉チャネル112を推定する。AP  104は、次いで、推定された自己干渉チャネル情報を使用して、オーバーラップ期間Toの最中にアップリンク無線接続チャネル110においてAP  104がSTA-2からアップリンクメッセージ202を受信した場合に発生するであろう自己干渉をキャンセルする。
【００２３】
例示的な実施形態において、ダウンリンクメッセージ200、および、特定的にAFD情報204は、また、受信機(例えば、AP  104または他の受信装置)が、ダウンリンクメッセージ200と、アップリンクメッセージ202を含む、他のメッセージとを区別することが可能なようにも構成されている。いくつかの例において、AFD情報204は、メッセージ200が、他のタイプのメッセージとは対照的に、AFD情報204を含むタイプのダウンリンクメッセージ(例えば、AFD互換メッセージ)であることを、受信機が自動的に検出するのを可能にする。例えば、AFD情報204は、異なるプロトコルまたは標準に準拠するメッセージフレームとは対照的に、ダウンリンクメッセージ200がAFD互換メッセージであることを、ステーションといった受信装置が決定するのを可能にすることができる。
【００２４】
例示的な実施形態において、STA-2  106(2)は、他のSTA  106のために意図され得るダウンリンクメッセージ200についてネットワーク100をモニターし、そして、そうしたメッセージに含まれるAFD情報204を少なくとも部分的に復号化（decode）するように構成されている。STA-2  106(2)は、例えば、アップリンクメッセージ202を送信するための開始時間(例えば、デュレーションTeの終わり)を決定することを含み、復号化されたAFD情報204に基づいて、アクションをとることができる。
【００２５】
メッセージ200においてAFD情報204を含めるために可能な構造およびプロトコルの例が、これから説明される。一つの例示的な実施形態において、ダウンリンクおよびアップリンクメッセージ200、202は、フレーム（frame）としてフォーマットされている。例示的な実施形態において、メッセージ200、202のフレームフォーマットは、例えばIEEE  802.11axを含む、１つまたはそれ以上のIEEE  802.11指定のフレームフォーマットに基づいて構築され、かつ、後方互換性（backwards  compatibility）がある。当該技術分野において知られるように、物理層コンバージェンス・プロトコル（PLCP）プロトコルデータユニット（PPDUs）は、ネットワークの物理（PHY）層を介して送信されるデータの単位である。PPDUは、アドレス情報、プロトコル制御情報、及び／又は、ユーザデータといった、情報を含む構造化されたデータ単位（data  unit）である。
【００２６】
図3は、ダウンリンクメッセージ200のために使用され得るフレーム300のダイヤグラムある。例示的な実施形態において、フレーム300はPPDUのフォーマットを有している。フレーム300は、IEEE  802.11ax  PPDU構造に類似しており、そして、この点について、後方互換性のためのレガシー（legacy）プリアンブル302を含んでおり、プリアンブル304、そして、次いでデータフィールド312が続いている。プリアンブル304は、物理層（PHY）PLCPヘッダを含んでいる。フレーム300は、フレーム300のプリアンブル304が、修正RL-SIGフィールド306、並びに、IEEE  802.11ax  PPDUには存在しない一式のAFDロングトレーニングフィールド(ＬＴＦ１−ＬＴＦｋ)308を含んでいることで、IEEE  802.11ax  PPDU構造とは異なっている。AFD  ＬＴＦ１−ＬＴＦｋフィールドは、また、ここにおいて一般的に、AFD  LTFフィールド308としても参照される。修正RL-SIGフィールド306およびAFD  LTFフィールド308は、図1および図2に関して上記に参照されたAFD情報204を集合的に提供する。プリアンブル304の初期にAFD情報204を含めることにより、受信機(例えば、AP  104を含む)は、フレーム300を受信したとき、AFD情報204に迅速にアクセスすることができる。
【００２７】
上述のように、いくつかの例において、AFD情報204は、ダウンリンクメッセージ200がAFDメッセージであることを受信機が自動的に検出するのを可能にする情報を含んでいる。例示的な実施形態において、フレーム300の修正RL-SIGフィールド306は、自動検出を可能にする情報を含んでいる。図4は、RL-SIGフィールド306の一つの例を示しており、24ビット長であり、そして、レガシープリアンブル302の直前のL-SIGフィールドを含む情報を繰り返すものである。図4に示されるように、RL-SIGフィールド306は、４ビットのレート（Rate）サブフィールド、１ビットのリザーブ（Reserved）サブフィールド、１２ビットの長さ（Length）サブフィールド(レガシープリアンブル302を除くフレーム500の長さを示すために使用されるもの)、１ビットのパリティ（Parity）サブフィールド、および、６ビットのテール（Tail)サブフィールドを含んでいる。一つの例示的な実施形態においては、フレーム300がAFDメッセージであることを示すために、RL-SIGフィールド306は、プリアンブル304の他のフィールドとは異なる変調を使用して符号化される。特定的な例において、RL-SIGフィールド306の24ビットは、直交２位相偏移変調（quadrature  binary  phase  shift  keying、QBPSK）を使用して符号化され、一方で、プリアンブル304の残り部分に含まれる他のビットは、レガシープリアンブル302に含まれるビットと同様に、２位相偏移変調（binary  phase  shift  keying、BPSK）を使用して符号化される。QBPSK変調は、BPSK変調されたシンボルに対して位相が９０度外れて回転したシンボルを結果として生じることが正しく理解されるだろう。従って、一つの例示的な実施形態において、RL-SIGフィールド306のビットを送信するために使用される信号は、AFDメッセージとしてフレーム300を識別するために回転される。802.11ax信号においては、RL-SIGフィールド内の信号は隣接するフィールドに対して回転されないこと、そして、従って、回転されたRL-SIGフィールド306により、受信機は、フレーム300を802.11axフレームから区別できることに留意されたい。
【００２８】
代替的な実施形態において、RL-SIGフィールド306は、自動検出を可能にするために異なる方法で修正され得る。図4のコード／レート表402に示されるように、L-SIGフィールドのレートサブフィールドは、典型的には、4ビットのコードを含み、フレームの後のペイロード部分(例えば、データフィールド312)において送信されるであろうデータについて使用されるレートを信号化する。一つの例示的な実施形態においては、フレーム300がAFDメッセージであることを示すために、有効なレートコードではない事前設定された4ビットのコード(例えば、0000)が、RL-SIGフィールド306のレートサブフィールドに含まれている。いくつかの例においては、フレーム300がAFDメッセージであることを示すために、事前設定されたビットのコードと回転された信号（rotated  signal）との組み合わせがRL-SIGフィールド306において使用され得る。
【００２９】
いくつかの例示的な実施形態においては、ダウンリンクメッセージ200とアップリンクメッセージ202との間を区別するために、修正RL-SIGフィールド306を使用することができる。例えば、フレーム300のフォーマットは、ダウンリンクメッセージ200およびアップリンクメッセージ202の両方について使用することができ、しかしながら、RL-SIGフィールド306信号は、ダウンリンクメッセージ200に対してだけ回転され(例えば、QBPSK変調)、そして、アップリンクメッセージ202に対しては回転されない(例えば、BPSK変調)。
【００３０】
上述のように、フレーム300に含まれるAFD情報204は、AFD  ＬＴＦ１−ＬＴＦｋフィールドを含んでいる。例示的な実施形態において、AFD  LTFフィールド308の数(k)は、AP  104が可能な自己干渉チャネルを決定するために必要とする空間ストリームの数に対応している。空間ストリームの数は、例えば、AP  104が入力メッセージ（incoming  message）を受信するために使用している指向性アンテナの数と等しくてよい。例示的な実施形態において、AFD  LTFフィールド308は、それぞれ、可能性ある受信機(図1の例において、可能性ある受信機は、AP  104とSTA-1  106(1)およびSTA-2  106(2)を含む)に知られているそれぞれのチャネル推定シーケンスが入力される。例えば、AFD-LTFフィールド308には、チャネル推定のために802.11標準において提示されているようなゴレイ（Golay）シーケンスを入力することができる。AP  104の例においては、一旦ダウンリンク無線接続チャネル108に対して割り当てられたAPアンテナを介してフレーム300をSTA-1  106(1)に対して送信すると、AP  104は、アップリンク無線接続チャネル110に割り当てられたさらなるAPアンテナにおいてフレーム300を受信することができる。AP  104は、受信したAFD  ＬＴＦ１フィールド308を復号化し、そして、次いで、干渉チャネル112を推定するために受信したシーケンスを対応する保管されたシーケンスと相関させることができる。この情報は、次いで、アップリンクメッセージ200／ダウンリンクメッセージ202のオーバーラップ期間Toについて干渉チャネル112をキャンセルするために、AP  104によって使用され得る。
【００３１】
いくつかの例示的な実施形態において、AFD  LTFフィールド308は、また、自己干渉チャネル以外のチャネルについてチャネル推定目的のために使用することもできる。例えば、STA-1  106(1)は、ダウンリンク無線接続チャネル108を推定するために、受信したAFD  ＬＴＦ１フィールド308に含まれるシーケンスを使用することができる。少なくともいくつかの例示的な実施形態においては、AFD  LTFフィールド308の二重の使用（dual  use）により、さもなければプリアンブル304の最後に含まれるであろう、後続の空間ストリームの特定的なLTFフィールド310の１つまたはそれ以上が省略されることを可能にし得る。
【００３２】
図5は、さらなる例示的な実施形態に従った、ダウンリンクメッセージ200およびアップリンクメッセージ202のために使用され得るさらなるフレーム500のダイヤグラムである。RL-SIGフィールド306の代わりにフレーム500が署名シンボル(Sig  Sym)506を含むことを除いて、フレーム500は、上述のフレーム300と同一である。署名シンボル506について可能なフォーマットの一つの例は、doc:IEEE  802.11-15/0643、"Autodection  with  Signature  Symbol"において説明されている。フレームにおける署名シンボルは、受信したフレームのタイプを示すために、バージョン番号として使用されている。一つの例示的な実施形態において、署名シンボル506は、レガシープリアンブル302のL-SIGフィールドの後のプリアンブル304の開始に含まれている単一のOFDMシンボル(64  FFT、08μsガード間隔（guard  interval）)である。署名シンボル506は、署名シーケンスを構成するSビット（S-bit）のセット(例えば、10−12ビット)を用いて符号化される。Sビット署名シーケンスは、自動検出についてフレーム500を分類するために使用される。例えば、ダウンリンクメッセージ200についてフレーム500内に含まれる署名シンボル506を形成するために、１つの署名シーケンスを使用することができ、そして、アップリンクメッセージ202についてフレーム500内に含まれる署名シンボル506を形成するために、異なる署名シーケンスを使用することができる。受信機は、次いで、署名シンボル506に基づいて、アップリンクまたはダウンリンクメッセージとして受信したメッセージを分類することができる。いくつかの例において、フレーム500内に含まれる署名シンボル506を形成するために使用される署名シーケンスは、AFD互換性のメッセージを他のプロトコルまたは標準に対応する他のメッセージから区別するために使用され得る。
【００３３】
図6は、一つの実施例に従った、図2に示されるAFD通信を実現するためにAP  104、STA-1  106(1)、およびSTA-2  106(2)それぞれにおいて為されるアクションを示しているフローダイヤグラムである。これから、AP  104において為されるアクションが説明される。図6に示されるように、AP  104がSTA-1  106(1)に対して送信するデータを有するときに、AP  104は、AFDダウンリンクメッセージ200を準備し(ステップ602)、プリアンブル304の開始においてAFD情報204のためのコンテンツを提供することを含んでいる。AP  104は、次いで、ダウンリンク無線接続チャネル108を介して、空間ストリームにおけるフレーム300(または500)として、AFDダウンリンクメッセージ604の送信を開始する(ステップ604)。AFDダウンリンクメッセージ200の送信時間は、TeプラスToのデュレーションにわたり継続する。デュレーションTeは、フレームプリアンブル304の最初に埋め込まれている(上述のように、AFD情報204は、フレームプリアンブル304の一部として含まれている)、AFD情報204を送信するために必要な時間を含む。フレーム300の場合に、AFD情報204は、フレーム300の自動検出を可能にする修正RL-SIGフィールド506を含み、そして、AFDダウンリンクメッセージ200としてフレーム300を分類するために使用することができる。この点に関し、RL-SIGフィールド506は、回転された信号の形態(例えば、BPSK変調ビットとは対照的にQBPSK変調ビット)において、または、事前設定されたコード(例えば、無効なレートコード)としての何れかで、もしくは、両方の組み合わせとして、この情報を含むことができる。フレーム500の場合に、AFD情報204は、フレーム500の自動検出を可能にするために、プリアンブル304の開始に、署名シーケンスを用いて符号化された、署名シンボル506を含み、そして、AFDダウンリンクメッセージ200としてフレーム500を分類するために使用することができる。フレーム300およびフレーム500の両方の場合に、AFD情報204は、また、AP  104が自己干渉チャネル112を推定するのを可能にするために、十分な数のAFD-LTFフィールド308も含んでいる。
【００３４】
デュレーションTeの最中に、AP  104は、任意の受信されたAFD-LTFフィールド308に基づいて、アップリンク無線接続チャネル110におけるAFD情報204についてモニターする(ステップ606)。AP  104は、次いで、自己干渉チャネル112を推定し、そして、キャンセルすることができる(ステップ608)。上述のように、例示的な実施形態において、アップリンク無線接続チャネル110は、ダウンリンク無線接続チャネル108と同じ周波数チャネルを使用する。フレームプリアンブル304の初期に存在する、デュレーションTeの最中の自己干渉チャネル112の推定は、AFDリンク解除メッセージを受信する以前に、AP  104時間が、周波数チャネル内の自己干渉を推定し、そして、キャンセルするのを可能にする。
【００３５】
デュレーションTeの後、オーバーラップ期間Toの最中に、AP  104は、STA-2  106(2)から、アップリンク無線接続チャネル110を介してAFDアップリンクメッセージ202を受信し(ステップ610)、同時に、そのAP  104は、STA-1  106(1)に対して、ダウンリンク無線接続チャネル108を介してAFDダウンリンクメッセージ200の残り部分の送信を継続する(ステップ604)。オーバーラップ期間Toの最中に、AP  104は、推定された自己干渉チャネル情報を使用して、さもなければダウンリンクメッセージ202の送信によって引き起こされ得るアップリンク無線接続チャネル110における干渉をキャンセルする。
【００３６】
いくつかの例示的な実施形態において、少なくともレガシープリアンブル302および自動検出に使用されるAFD情報294の部分(例えば、フレーム300の場合はR-SIGフィールド306、および、フレーム500の場合は署名シンボル506)は、無指向性（omni-directional）信号としてAP  104によって送信され、そして、少なくともデータフィールド312が、チャネル108を標的とする方向性ビーム形成信号（directional  beam  formed  signal）を使用して送信される。いくつかの例示的な実施形態において、レガシープリアンブル302および自動検出のために使用されるAFD情報294の一部(例えば、フレーム300の場合はR-SIGフィールド306、および、フレーム500の場合は署名シンボル506)は、無指向性信号としてAP  204によって送信され、そして、AFD-LTFフィールド308の少なくとも一部は、チャネル108を標的とする方向性ビーム形成信号を使用して送信される。いくつかの例示的な実施形態において、ダウンリンクメッセージ200全体は、チャネル108を標的とする方向性ビーム形成信号を使用して、AP  204によって送信される。
【００３７】
いくつかの例において、AP  104は、また、受信したAFD-LTFフィールド308を使用して、オーバーラップ期間Toの後に発生するAP  104による将来の送信について自己干渉チャネル112を推定することもできる。さらに、現在のオーバーラップ期間Toについて自己干渉チャネル112の推定は、また、AP  104によって知られている情報に基づくこともでき、例えば、以前のダウンリンクメッセージ200のAFD-LTFフィールド308から受信した情報を含んでいる。
【００３８】
これから、STA-1  106(1)において為されるアクションが説明される。TeプラスToのデュレーションの最中に、STA-1  106(1)は、ダウンリンク無線接続チャネル108を介してAFDダウンリンクメッセージ200を受信し、そして、復号化する(ステップ702)。いくつかの例において、STA-1  106(1)は、ダウンリンク無線接続チャネル108を推定するために、１つまたはそれ以上のAFD-LTFフィールド308を使用することができる。いくつかの例において、STA-1  106(1)は、ダウンリンク無線接続チャネル108を推定するためにAFD-LTFフィールド308だけを使用することができる。そして、いくつかの例において、STA-1  106(1)は、ダウンリンク無線接続チャネル108を推定するために、プリアンブル304内の後方に置かれたトレーニングフィールド（training  field）と組み合わせて、AFD-LTFフィールド308を使用することができる。
【００３９】
いくつかの例として、STA-1  106(1)は、AP  104によってAFDダウンリンクメッセージ200が事前に通知されてよい。例えば、事前に受信された送信(RTS)メッセージの要求によるものである。
【００４０】
これから、STA-2  106(2)において為されるアクションが説明される。一つの例示的な実施形態において、STA-2  106(2)は、デュレーションTeの以前にAP  104に対する配信のためにキューされた（queued）アップリンクメッセージ202を有しており、そして、AP  104からトリガメッセージの送信が開始されるのを待っている。TeプラスToのデュレーションの最中に、STA-2  106(2)は、AFDダウンリンクメッセージ200に含まれるAFD情報204の少なくとも一部を受信して、復号化し(ステップ802)、そして、受信メッセージがAFD互換メッセージであることを認識する。フレーム300を使用してダウンリンクメッセージ200が送信される場合に、STA-2  106(2)は、修正RL-SIGフィールド506を検出するように構成されており、STA  106(2)が、ダウンリンクメッセージ200をAFDダウンリンクメッセージ200として分類するのを可能にしている。同様に、フレーム300を使用してダウンリンクメッセージ200が送信される場合に、STA-2  106(2)は、署名シンボル506を検出し、そして、ダウンリンクメッセージ200をAFDダウンリンクメッセージ200として分類するように構成されている。STA-2  106(2)は、受信したAFD情報204をトリガとして使用し、次いで、オーバーラップ期間Toの開始から始まる、アップリンク無線接続チャネル110においてAP  104に対してAFDアップリンクメッセージ202を送信する(ステップ804)。例示的な実施形態において、STA-2  106(2)は、アップリンクメッセージ202を送信する前に、最初にAFD情報204を検出した時から事前設定された遅延期間（delay  period）を待つように構成されており、それによって、自己干渉チャネル112を推定するのに十分な時間をAP  104に与えている。いくつかの例において、AP  104は、アップリンクメッセージ202を送信する前に、AFD情報204を受信した後でTA-2  106(2)が遅延すべき期間を特定する情報をAFD情報204に埋め込むことができる。
【００４１】
従って、上述の例示的な実施形態は、非同期全二重通信を可能にするフレーム構造を提供することが正しく理解されるだろう。この点に関して、フレーム300、500それぞれは、データ部分312が後に続くプリアンブル部分312を含み、ここで、プリアンブル304は、フレーム300または400を送信するノード(例えば、AP  104)が、ノードにおいてフレーム300または500を送信することから生じる自己干渉チャネル(例えば、チャネル112)を推定するのを可能にするためのチャネル推定情報(例えば、AFD情報204のAFD  LTF  308)を含む。フレーム300、500において、チャネル推定情報は、１つまたはそれ以上の長いトレーニングフィールドLTF308を含み、それぞれが、例えば、ゴレイシーケンスであり得る、チャネル推定シーケンスが入力される。
【００４２】
説明された実施形態において、フレーム300、500のプリアンブル部分304は、また、チャネル推定情報(例えば、AFD  LTF  308)に続く長いトレーニングフィールドではない中間フィールド(例えば、SIG-A1、SIG-A2、SIG-B)のグループ、および、中間フィールドの後の少なくとも１つまたはそれ以上の追加的な長いトレーニングフィールド(例えば、LTF310)も含むことができ、１つまたはそれ以上の追加的な長いトレーニングフィールド(例えば、LTF310)は、チャネルを推定するためにリモート受信機(例えば、STA-1  106(1))によって使用されるチャネル推定シーケンスを含んでいる。
【００４３】
例示的な実施形態において、チャネル推定情報(例えば、AFD  LTF  308)は、ノードによるデータ部分312の送信の以前にノード(例えば、AP  104)が自己干渉チャネル(例えば、チャネル112)を推定できるように、プリアンブル部分304内で十分初期に含まれている。
【００４４】
例示的な実施形態において、プリアンブル部分304は、自動検出または分類情報(例えば、RL-SIGフィールド306または署名シンボル506)を含み、受信機が、チャネル推定情報(例えば、AFD  LTF  308)を含むタイプのフレームとしてフレーム300、500を特定するのを可能にしている。フレーム300、500それぞれは、レガシープリアンブル302を含み、そして、自動検出情報がレガシープリアンブル302の直後に続いている。
【００４５】
フレーム300の場合、自動検出情報は、レガシープリアンブル302の最終フィールド(L-SIG)からの情報の少なくとも部分的なコピーを含む信号フィールド(RL-SIGフィールド306)に含まれており、そして、信号フィールド(RL-SIGフィールド306)は、プリアンブル304の以降のシンボルとは異なる変調を使用して変調される。いくつかの例において、RL-SIGフィールド306の自動検出情報は、QBPSK変調される。いくつかの例において、自動検出情報は、RL-SIGフィールド306内に事前設定されたコードを含んでいる。無効、または、そうでなければ使用されないレートコードといったものである。
【００４６】
フレーム500の場合に、自動検出情報は、署名シンボル506内に埋め込まれている。署名シンボル506は、自動検出情報を提供する署名ビットを用いて変調されたOFDMシンボルであり得る。
【００４７】
例示的な実施形態において、STA-1  106(1)は、ノード(AP  104)について自己干渉チャネル(例えば、チャネル112)を推定するためのチャネル推定情報(例えばAFD  LTF308)を含むダウンリンクメッセージ200をノード(例えばAP  104)から受信することができ、そして、STA-1  106(1)は、チャネル推定情報に基づいて、ダウンリンクメッセージ200の残り部分についてダウンリンクチャネルを推定することができる。
【００４８】
例示的な実施形態において、STA-2  106(2)は、ノード(例えば、AP  104)からダウンリンクメッセージ200の少なくとも初期部分(例えば、AFD情報204)を受信することができ、ダウンリンクメッセージは、ノード(例えば、AP  104)について自己干渉チャネル(例えば、チャネル112)を推定するためのチャネル推定情報(例えば、LTF308)を含んでおり、初期部分(例えば、AFD情報204)を受信したことに応答して、ノード(例えば、AP  104)についてアップリンクメッセージ202を送信するようにSTA-2  106(2)をトリガしている。
【００４９】
いくつかの例において、STA-2  106(2)は、AFDアップリンクメッセージ202を送信するためにフレーム300、500のうち１つのフォーマットを使用することができ、その場合、AFD情報204は、AFDアップリンクメッセージ202がAFDダウンリンクメッセージではないことを示すように符号化される。
【００５０】
従って、少なくともいくつかの例において、上述のシステムおよび方法は、非同期全二重通信の最中にネットワークノードにおける自己干渉を低減するために使用することができる。一つの例示的な実施形態に従って、無線RF信号を同時に送信および受信するように構成されたネットワークノードについて方法が説明される。本方法は、ネットワークノードから、ダウンリンクチャネルを介してダウンリンクメッセージを送信するステップであり、ダウンリンクメッセージは自己干渉チャネルを推定するためのチャネル推定情報を含むプリアンブルを有している、ステップと、ダウンリンクメッセージを送信している間の初期デュレーションの最中に、ネットワークノードにおいてチャネル推定情報についてモニターし、かつ、チャネル推定情報の受信部分に基づいて自己干渉チャネルを推定するステップと、そして、アップリンクメッセージを受信している間に自己干渉をキャンセルするために、推定された自己干渉チャネルを使用し、かつ、ダウンリンクメッセージの残り部分を同時に送信するステップと、を含む。いくつかの例においては、自動検出情報がプリアンブル内に含まれており、そして、いくつかの例において、自動検出情報は、アップリンクメッセージを送信するように、さらなるノードをトリガする。いくつかの例において、アクセスポイントは、本方法を実行するように設定されている。例示的な実施形態において、ダウンリンクチャネルおよびアップリンクチャネルの両方は、同じ周波数チャネルを使用する。
【００５１】
例示的な実施形態に従って、非同期全二重通信を可能にするフレーム構造が説明される。フレーム構造は、データ部分が後に続く、プリアンブル部分を含んでおり、ここで、プリアンブル部分は、フレーム構造を送信するノードが、フレーム構造を送信することからノードにおいて生じる自己干渉チャネルを推定するのを可能にする、チャネル推定情報を含む。いくつかの例において、チャネル推定情報は、それぞれにチャネル推定シーケンスが入力される、１つまたはそれ以上の長いトレーニングフィールドを含んでいる。各チャネル推定シーケンスは、例えば、ゴレイシーケンスを含んでよい。
【００５２】
いくつかの例示的な実施形態において、フレーム構造のプリアンブルは、チャネル推定情報に続く長いトレーニングフィールドではない中間フィールドのグループ、および、中間フィールドの後に少なくとも１つまたはそれ以上の追加的な長いトレーニングフィールドを含む。少なくとも１つまたはそれ以上の追加的な長いトレーニングフィールドは、チャネルを推定するためにリモート受信機によって使用されるチャネル推定シーケンスを含んでいる。
【００５３】
フレーム構造の例示的な実施形態において、フレーム構造のチャネル推定情報は、プリアンブル部分において十分初期に含まれており、ノードによるデータ部分の送信の以前に、ノードが自己干渉チャネルを推定するのを可能にする。
【００５４】
フレーム構造のいくつかの例において、プリアンブル部分は、受信機が、フレーム構造を、チャネル推定情報を含むフレーム構造として識別するのを可能にする、自動検出情報を含んでいる。
【００５５】
いくつかの例において、フレーム構造はレガシープリアンブルを含み、そして、自動検出情報がレガシープリアンブルの直後に続く。いくつかの例において、自動検出情報は、レガシープリアンブルの最終フィールドからの情報の少なくとも部分的なコピーを含む信号フィールドに含まれており、そして、信号フィールドは、プリアンブル部分の後続のシンボルとは異なる変調を使用して変調される。いくつかの例において、自動検出情報はQBPSK変調される。
【００５６】
フレーム構造のいくつかの例において、自動検出情報は事前設定されたコードを含んでいる。
【００５７】
フレーム構造のいくつかの例において、自動検出情報は、署名シンボル内に埋め込まれている。いくつかの例において、署名シンボルは、自動検出情報を提供する署名ビットを用いて変調されたOFDMシンボルである。
【００５８】
いくつかの例示的な実施形態に従って、方法は、ステーションにおいて、ノードからのダウンリンクメッセージを受信するステップを含み、ダウンリンクメッセージは、ノードについて自己干渉チャネルを推定するためのチャネル推定情報を含んでいる。チャネル推定情報に基づいて、ステーションにおいて、ダウンリンクメッセージの残り部分について、ダウンリンクチャネルが推定される。
【００５９】
いくつかの例示的な実施形態に従って、方法は、ステーションにおいて、ノードからのダウンリンクメッセージの少なくとも初期部分を受信するステップであり、ダウンリンクメッセージは、ノードについて自己干渉チャネルを推定するためのチャネル推定情報を含んでいる、ステップと、そして、初期部分を受信することに応答して、ステーションにおいて、ノードについてアップリンクメッセージを送信するステップと、を含む。
【００６０】
図7は、ここにおいて説明される方法を実行するための処理システム2600の一つの実施形態に係るブロックダイヤグラムであり、ホスト装置にインストールされてよく、例えば、APといった、ネットワーク分散ノード、または、STAといった、クライアントノードを含んでいる。示されるように、処理システム2600は、プロセッサ2602、メモリ2604、およびインターフェイス2606−2610を含んでおり、図7に示されるように配置されて（または、配置されなくても）よい。プロセッサ2602は、計算及び／又は他の処理関連タスクを実行するように適合された任意のコンポーネントまたはコンポーネントの集合（collection）であってよく、そして、メモリ2604は、プロセッサ2602による実行のためのプログラミング及び／又は命令を保管するように適合された任意のコンポーネントまたはコンポーネントの集合であってよい。一つの実施形態において、メモリ2604は、非一時的コンピュータ読取り可能媒体を含む。インターフェイス2606、2608、2610は、処理システム2600が、他の装置／コンポーネント、及び／又は、ユーザと通信するのを可能にする任意のコンポーネントまたはコンポーネントの集合であってよい。例えば、インターフェイス2606、2608、2610のうち１つまたはそれ以上は、プロセッサ2602からのデータ、制御、または管理メッセージを、ホスト装置及び／又はリモート装置にインストールされたアプリケーションに対して通信するように構成されてよい。別の例として、インターフェイス2606、2608、2610のうち１つまたはそれ以上は、ユーザまたはユーザ装置(例えば、パーソナルコンピュータ(PC)、等)が、処理システム2600と相互作用／通信するのを可能にするように構成されてよい。処理システム2600は、長期ストレージ(例えば、不揮発性メモリ、等)といった、図7に示されていない追加的なコンポーネントを含んでよい。
【００６１】
いくつかの実施形態において、処理システム2600は、電気通信ネットワーク、または、それ以外の部分、にアクセスしているネットワーク装置に含まれている。一つの例において、処理システム2600は、基地局、中継ステーション、スケジューラ、コントローラ、ゲートウェイ、ルータ、アプリケーションサーバ、アクセスポイント、または電気通信ネットワークにおける任意の他の装置といった、無線電気通信ネットワークにおけるネットワーク側装置内に存在している。他の実施形態において、処理システム2600は、移動局、ユーザ装置（UE）、パーソナルコンピュータ（PC）、タブレット、ウェアラブル通信装置(例えば、スマートウォッチ、等)、インターネット・オブ・シングス、または電気通信ネットワークにアクセスするように適合された任意の他の装置といった、無線または有線電気通信ネットワークにアクセスするユーザ側装置内に存在している。
【００６２】
いくつかの実施形態において、インターフェイス2606、2608、2610のうち１つまたはそれ以上は、通信ネットワークを介して信号を送信および受信するように適合されたトランシーバに対して処理システム2600を接続する。図8は、電気通信ネットワークを介して信号を送信および受信するように適合されたトランシーバ2700のブロックダイヤグラムである。トランシーバ2700は、ホスト装置内に設置されてよい。示されるように、トランシーバ2700は、ネットワーク側インターフェイス2702、１つまたはそれ以上のカプラ2704、送信機2706、受信機2708、信号プロセッサ2710、および装置側インターフェイス2712を含んでいる。ネットワーク側インターフェイス2702は、無線または有線電気通信ネットワークを介して信号を送信または受信するように適合された任意のコンポーネントまたはコンポーネントの集合を含んでよい。カプラ2704は、ネットワーク側インターフェイス2702を介して双方向通信を促進するように適合された任意のコンポーネントまたはコンポーネントの集合を含んでよい。送信機2706は、ベースバンド信号を、ネットワーク側インターフェイス2702を介した送信のために適切な変調搬送波信号（carrier  signal）へと変換するように適合された任意のコンポーネントまたはコンポーネントの集合(例えば、アップコンバータ、電力増幅器、等)を含んでよい。受信機2708は、ネットワーク側インターフェイス2702を介して受信された搬送波信号をベースバンド信号へと変換するように適合された任意のコンポーネントまたはコンポーネントの集合(例えば、ダウンコンバータ、低雑音増幅器、等)を含んでよい。信号プロセッサ2710は、ベースバンド信号を、装置側インターフェイス2712を介した通信のために適切なデータ信号へと変換するように構成された任意のコンポーネントまたはコンポーネントの集合を含んでよく、または、その逆も同様である。装置側インターフェイス2712は、信号プロセッサ2710とホスト装置内のコンポーネント(例えば、処理システム2600、ローカルエリアネットワーク(LAN)ポート、等)との間でデータ信号を通信するように適合された任意のコンポーネントまたはコンポーネントの集合を含んでよい。
【００６３】
トランシーバ2700は、任意のタイプの通信媒体を介して信号を送信および受信することができる。いくつかの実施形態において、トランシーバ2700は、無線媒体を介して信号を送信および受信する。例えば、トランシーバ2700は、セルラプロトコル(例えば、ロングタームエボリューション(LTE)、等)、無線ローカルエリアネットワーク（WLAN）プロトコル(例えば、Wi-Fi  802.11ファミリのプロトコルのうち１つまたはそれ以上、等)、または、任意の他のタイプの無線プロトコル(例えば、ブルートゥース（登録商標）、近接場通信(NFC、)等)といった、無線通信プロトコルに従って通信するように適合された無線トランシーバであってよい。そうした実施形態において、ネットワーク側インターフェイス2702は、１つまたはそれ以上のアンテナ／放射素子を含んでいる。例えば、ネットワーク側インターフェイス2702は、単一のアンテナ、複数の別個のアンテナ、または、多層通信（multi-layer  communication）のために構成されたマルチアンテナアレイ、例えば、単一入力多重出力（SIMO）、多入力単一出力（MISIO）、多入力多重出力（NIMIO）、等を含んでよい。トランシーバ2700がAP  104の一部を形成している、例示的な実施形態において、ネットワーク側インターフェイス2702は、図6に関して上記に説明したように、FD  MIMO通信を可能にする複数のアンテナを含む。それぞれにダウンリンクおよびアップリンクメッセージ200、202を送信および受信する異なるアンテナを伴うものである。他の実施形態において、トランシーバ2700は、有線媒体、例えば、ツイストペアケーブル、同軸ケーブル、光ファイバ、等を介して、信号を送信および受信する。特定的な処理システム及び／又はトランシーバは、示されたコンポーネントの全て、またはコンポーネントのサブセットだけを利用することができ、そして、統合（integration）のレベルは、デバイスごとに変動してよい。
【００６４】
説明が、詳細に記載されてきたが、添付の請求項によって定められるように、この開示の精神および範囲から逸脱することなく、種々の変更、置換、および代替が為され得ることが理解されるべきである。さらに、本開示の範囲は、ここにおいて説明された特定的な実施形態に限定されるように意図されたものではない。当業者であれば、本開示から、現在存在しているか又は後に開発される、プロセス、機械、製造、物質の組成、手段、方法、またはステップが、ここにおいて説明された対応する実施形態と実質的に同一の機能を実施するか、あるいは、実質的に同一の結果を達成し得ることを直ちに正しく理解するだろうからである。従って、添付の請求項は、そうしたプロセス、機械、製造、物質の組成、手段、方法、またはステップをその範囲内に含むように意図されている。
【００６５】
説明された実施形態について所定の適合化および修正が為され得る。従って、上記に説明された実施形態は例示的なものであり、かつ、限定的ではないと考えられる。
【図１】
2021505088.tif 000003
【図２】
2021505088.tif 000004
【図３】
2021505088.tif 000005
【図４】
2021505088.tif 000006
【図５】
2021505088.tif 000007
【図６】
2021505088.tif 000008
【図７】
2021505088.tif 000009
【図８】
2021505088.tif 000010
【手続補正書】
【提出日】令和2年7月7日(2020.7.7)
【手続補正１】
【補正対象書類名】特許請求の範囲
【補正対象項目名】全文
【補正方法】変更
【補正の内容】
【特許請求の範囲】
【請求項１】
無線ＲＦ信号を同時に送信および受信するように構成されたネットワークノードにおける方法であって、前記方法は、
前記ネットワークノードから、チャネル推定情報を含むプリアンブルを有しているダウンリンクメッセージを送信するステップと、
前記ネットワークノードにおいて、前記チャネル推定情報のための周波数チャネルをモニターし、かつ、受信したチャネル推定情報に基づいて、前記周波数チャネルにおける自己干渉チャネルを推定して、キャンセルするステップと、
前記ネットワークノードにおいて、前記チャネル推定情報の後に生じている前記ダウンリンクメッセージの一部の送信とオーバーラップする時間期間の最中に、前記周波数チャネルにおいてアップリンクメッセージを受信するステップと、
を含む、方法。
【請求項２】
前記ネットワークノードは、前記周波数チャネルと同じ周波数チャネルにおいて前記ダウンリンクメッセージを送信する、
請求項１に記載の方法。
【請求項３】
前記ネットワークノードは、前記周波数チャネルに隣接する周波数チャネルを使用して前記ダウンリンクメッセージを送信する、
請求項１または２に記載の方法。
【請求項４】
前記ダウンリンクメッセージは、前記周波数チャネル内の第１空間ストリームにおいて第１無線局に対して送信され、かつ、
前記アップリンクメッセージは、前記周波数チャネル内の第２空間ストリームにおいて第２無線局から受信される、
請求項１乃至３いずれか一項に記載の方法。
【請求項５】
前記ダウンリンクメッセージは、前記プリアンブルと、それに続くデータ部分を含むフレーム構造を使用し、
前記チャネル推定情報は、前記ネットワークノードによる前記データ部分の送信の以前に、前記ネットワークノードが前記自己干渉チャネルを推定することができるように、前記プリアンブルにおいて十分初期に含まれている、
請求項１乃至４いずれか一項に記載の方法。
【請求項６】
前記プリアンブルには、自動検出情報が含まれており、
前記方法は、
前記チャネル推定情報の以前に前記自動検出情報のための前記周波数チャネルをモニターするステップ、を含む、
請求項５に記載の方法。
【請求項７】
前記プリアンブルには、自動検出情報が含まれており、
前記プリアンブル内の前記自動検出情報は、前記プリアンブルにおける他の情報とは異なる変調を使用して符号化された情報を含む、
請求項５に記載の方法。
【請求項８】
前記自動検出情報は、直交２位相偏移変調を使用して符号化され、かつ、
他の情報は、２位相偏移変調を使用して符号化されている、
請求項７に記載の方法。
【請求項９】
前記チャネル推定情報は、それぞれのチャネル推定シーケンスが入力される１つまたはそれ以上の長いトレーニングフィールドを含む、
請求項５に記載の方法。
【請求項１０】
それぞれのチャネル推定シーケンスは、ゴレイシーケンスを含む、
請求項９に記載の方法。
【請求項１１】
前記プリアンブルは、
前記チャネル推定情報に続く長いトレーニングフィールドではない中間フィールドのグループ、および、前記中間フィールドの後の少なくとも１つまたはそれ以上の追加的な長いトレーニングフィールドを含み、
前記１つまたはそれ以上の追加的な長いトレーニングフィールドは、チャネルを推定するためにリモート受信機によって使用されるチャネル推定シーケンスを含んでいる、
請求項５に記載の方法。
【請求項１２】
無線ＲＦ信号を同時に送信および受信するようにためのネットワークノードであって、前記ネットワークノードは、
チャネル推定情報を含むプリアンブルを有しているダウンリンクメッセージを送信し、
前記チャネル推定情報のための周波数チャネルをモニターし、
受信したチャネル推定情報に基づいて、前記周波数チャネルにおける自己干渉チャネルを推定して、キャンセルし、かつ、
前記チャネル推定情報の後に生じている前記ダウンリンクメッセージの一部の送信とオーバーラップする時間期間の最中に、前記周波数チャネルにおいてアップリンクメッセージを受信する、
ように構成されている、ネットワークノード。
【請求項１３】
前記ネットワークノードは、前記周波数チャネルと同じ周波数チャネルにおいて前記ダウンリンクメッセージを送信するように構成されている、
請求項１２に記載のネットワークノード。
【請求項１４】
前記ネットワークノードは、前記周波数チャネルに隣接する周波数チャネルを使用して前記ダウンリンクメッセージを送信するように構成されている、
請求項１２または１３に記載のネットワークノード。
【請求項１５】
前記ネットワークノードは、
前記ダウンリンクメッセージを、前記周波数チャネル内の第１空間ストリームにおいて第１無線局に対して送信し、かつ、
前記アップリンクメッセージを、前記周波数チャネル内の第２空間ストリームにおいて第２無線局から受信するように構成されている、
請求項１２乃至１４いずれか一項に記載のネットワークノード。
【請求項１６】
前記ネットワークノードは、前記ダウンリンクメッセージのためにフレーム構造を使用するように構成されており、
前記フレーム構造は、前記プリアンブルと、それに続くデータ部分を含み、
前記チャネル推定情報は、前記ネットワークノードによる前記データ部分の送信の以前に、前記ネットワークノードが前記自己干渉チャネルを推定することができるように、前記プリアンブルにおいて十分初期に含まれている、
請求項１２乃至１５いずれか一項に記載のネットワークノード。
【請求項１７】
前記ネットワークノードは、前記チャネル推定情報の以前に、前記プリアンブル内に自動検出情報を含むように構成されており、かつ、
前記ネットワークノードは、前記自動検出情報のための前記周波数チャネルをモニターするように構成されている、
請求項１６に記載のネットワークノード。
【請求項１８】
前記ネットワークノードは、前記プリアンブル内に自動検出情報が含むように構成されており、
前記プリアンブル内の前記自動検出情報は、前記プリアンブルにおける他の情報とは異なる変調を使用して符号化された情報を含む、
請求項１６に記載のネットワークノード。
【請求項１９】
前記ネットワークノードは、ローカル無線エリアネットワークにおけるアクセスポイントである、
請求項１２乃至１８いずれか一項に記載のネットワークノード。
【請求項２０】
方法であって、
ステーションにおいて周波数チャネルで、ノードからのダウンリンクメッセージの少なくとも初期部分を受信するステップであり、前記ダウンリンクメッセージは、前記ノードが自己干渉チャネルを推定するためのチャネル推定情報を含んでいる、ステップと、
前記ステーションにおいて、前記初期部分の受信に応答して、前記周波数チャネルにおいて前記ノードについてアップリンクメッセージを送信するステップと、
を含む、方法。
【手続補正２】
【補正対象書類名】明細書
【補正対象項目名】００２０
【補正方法】変更
【補正の内容】
【００２０】
図1の例において、AP  104は、STA-1  106(1)とダウンリンク無線接続チャネル108を確立し、そして、ダウンリンク無線接続チャネル108を介してSTA-1  106(1)に対してRF信号ダウンリンクメッセージを送信することが可能である。AP  104は、また、STA-2  106(2)とアップリンク無線接続チャネル110を確立し、そして、アップリンク無線接続チャネル110を介してSTA-2  106(2)からRF信号アップリンクメッセージを受信することも可能である。図示された実施形態において、AP  104は全二重(full  duplex、FD)が可能であり（enabled）、AP  104が、同じ周波数チャネルを使用してRF信号を同時に送信および受信できることを意味している。図1の例において、STA-1  106(1)およびSTA-2  106(2)は、必ずしもFDが可能である必要はなく、STA-1  106(1)およびSTA-2  106(2)のいずれも、必ずしも同じ周波数チャネルを使用してRF信号を同時に送信および受信できる必要はない。いくつかの例においては、特定の周波数チャネルに対して任意の時間において、STA-1  106(1)は受信だけ可能（read-only  enabled）であり、そして、STA-2  106(2)は送信だけ可能（transmit-only  enabled）であってよい。いくつかの例において、STA-1  106(1)およびSTA-2  106(2)の一方または両方は、それぞれ半二重(half  duplex、HD)が可能であってよい。HDが可能なSTAは、特定の周波数チャネルを使用してRF信号を送信および受信の両方をできるが、同時ではない。
【手続補正３】
【補正対象書類名】明細書
【補正対象項目名】００２１
【補正方法】変更
【補正の内容】
【００２１】
例示的な実施形態は、AP  104とステーションSTA-1  106(1)、STA-2  106(2)との間の非対称全二重（asymmetric  full  duplex）通信を可能にすることに向けられている。AFD通信の一つの例において、AP  104は、STA-1  106(1)とダウンリンク無線接続チャネル108、および、STA-2  106(2)とアップリンク無線接続チャネル110を同時に確立することが可能である。少なくともいくつかの例において、無線接続チャネル108および110は、オーバーラップしている時間期間において同一または隣接する周波数スペクトルを使用するそれぞれの空間ストリーム（spatial  stream）であってよく、AP  104のための可能性ある自己干渉（self-interference）チャネル112を結果として生じている。従って、例示的な実施形態において、無線接続チャネル108および110は、同じ周波数チャネルを使用し、周波数チャネルにおいて可能性ある自己干渉をもたらしている。この開示は、AFD通信の最中の自己干渉を軽減するための方法およびシステムを説明する。
【手続補正４】
【補正対象書類名】明細書
【補正対象項目名】００４０
【補正方法】変更
【補正の内容】
【００４０】
これから、STA-2  106(2)において為されるアクションが説明される。一つの例示的な実施形態において、STA-2  106(2)は、デュレーションTeの以前にAP  104に対する配信のためにキューされた（queued）アップリンクメッセージ202を有しており、そして、AP  104からトリガメッセージの送信が開始されるのを待っている。TeプラスToのデュレーションの最中に、STA-2  106(2)は、AFDダウンリンクメッセージ200に含まれるAFD情報204の少なくとも一部を受信して、復号化し(ステップ802)、そして、受信メッセージがAFD互換メッセージであることを認識する。フレーム300を使用してダウンリンクメッセージ200が送信される場合に、STA-2  106(2)は、修正RL-SIGフィールド506を検出するように構成されており、STA-2  106(2)が、ダウンリンクメッセージ200をAFDダウンリンクメッセージ200として分類するのを可能にしている。同様に、フレーム300を使用してダウンリンクメッセージ200が送信される場合に、STA-2  106(2)は、署名シンボル506を検出し、そして、ダウンリンクメッセージ200をAFDダウンリンクメッセージ200として分類するように構成されている。STA-2  106(2)は、受信したAFD情報204をトリガとして使用し、次いで、オーバーラップ期間Toの開始から始まる、アップリンク無線接続チャネル110においてAP  104に対してAFDアップリンクメッセージ202を送信する(ステップ804)。例示的な実施形態において、STA-2  106(2)は、アップリンクメッセージ202を送信する前に、最初にAFD情報204を検出した時から事前設定された遅延期間（delay  period）を待つように構成されており、それによって、自己干渉チャネル112を推定するのに十分な時間をAP  104に与えている。いくつかの例において、AP  104は、アップリンクメッセージ202を送信する前に、AFD情報204を受信した後でTA-2  106(2)が遅延すべき期間を特定する情報をAFD情報204に埋め込むことができる。
【手続補正５】
【補正対象書類名】明細書
【補正対象項目名】００４１
【補正方法】変更
【補正の内容】
【００４１】
従って、上述の例示的な実施形態は、非同期全二重通信を可能にするフレーム構造を提供することが正しく理解されるだろう。この点に関して、フレーム300、500それぞれは、データ部分312が後に続くプリアンブル部分304を含み、ここで、プリアンブル304は、フレーム300または500を送信するノード(例えば、AP  104)が、ノードにおいてフレーム300または500を送信することから生じる自己干渉チャネル(例えば、チャネル112)を推定するのを可能にするためのチャネル推定情報(例えば、AFD情報204のAFD  LTF  308)を含む。フレーム300、500において、チャネル推定情報は、１つまたはそれ以上の長いトレーニングフィールドLTF308を含み、それぞれが、例えば、ゴレイシーケンスであり得る、チャネル推定シーケンスが入力される。
【国際調査報告】
2021505088.tif 000011
2021505088.tif 000012